(57)【要約】【課題】  映像が投射されるスクリーンの背面側のスペースを低減する【解決手段】  ＡＶシステムＳは、音波を透過させるシート状のスクリーン１０と、スクリーン１０に映像を投射する映像投射装置２０と、スクリーン１０の背面側に配置された複数の音響反射装置４０と、スクリーン１０の前面側に配置された放音装置３０とを有する。放音装置３０は、複数の音響反射装置４０の各々に対して指向性をもって音波Ｂを放射する。各音響反射装置４０は、スクリーン１０を透過した放音装置３０からの音波Ｂを、スクリーン１０の前面側に向けて反射する。【選択図】      図１
2006106599.tif 000002
【特許請求の範囲】
【請求項１】
音波を透過させるシート状のスクリーンと、
前記スクリーンに映像を投射する映像投射装置と、
前記スクリーンの背面側に配置され、放射された音波を前記スクリーンの前面側に向けて反射または再放射する音響体と、
前記スクリーンの前面側に配置され、前記音響体に向けて音波を放射する放音装置と
を具備するＡＶシステム。
【請求項２】
前記放音装置は、指向性音波を前記音響体に向けて放射する
請求項１に記載のＡＶシステム。
【請求項３】
前記スクリーンの背面側には複数の前記音響体が相互に離間して配置され、
前記放音装置は、前記複数の音響体の各々に向けて音波を放射する
請求項１に記載のＡＶシステム。
【請求項４】
前記音響体は、当該音響体にて反射された音波の進行方向が変化するようにその姿勢または形状が変更される
請求項１に記載のＡＶシステム。
【請求項５】
前記音響体は、一方の表面が凹面とされ他方の表面が凸面とされた部材であり、前記凹面が前記放音装置に向かう姿勢と前記凸面が前記放音装置に向かう姿勢との何れかとなる
請求項４に記載のＡＶシステム。
【請求項６】
前記音響体は、前記放音装置からの音波を反射させる表面が湾曲した形状にて支持された可撓性を有する板状の部材であり、前記表面が前記放音装置に対して凸となるように湾曲した形状と当該表面が前記放音装置に対して凹となるように湾曲した形状との何れかとなる
請求項４に記載のＡＶシステム。
【請求項７】
前記音響体の姿勢または形状を変化させる駆動装置を具備する
請求項４に記載のＡＶシステム。
【発明の詳細な説明】
【技術分野】
【０００１】
本発明は、音波の放射および映像の表示を行なうＡＶ（Audio Visual）システムに関する。
【背景技術】
【０００２】
映画など各種の映像をスクリーンに投射しつつスピーカから音響を放射するＡＶシステムが従来から広く普及している。例えば特許文献１には、音波を透過させるスクリーンの前面側（鑑賞者が位置する側）に映像投射装置を配置し、その背面側に複数のスピーカを配置した構成が開示されている。このＡＶシステムによれば、スピーカから放射された音響がスクリーンを透過して鑑賞者に到達するから、スクリーンに投射された映像の被写体から音響が発せられているかのような臨場感を鑑賞者に知覚させることができる。
【特許文献１】特開２０００−１０１９３号公報（図１）
【発明の開示】
【発明が解決しようとする課題】
【０００３】
しかしながら、特許文献１に記載された構成のもとでは、各スピーカや各々の配線を配置するためのスペースをスクリーンの背面側に確保しなければならず、その分だけスクリーンの前面側のスペースが狭くなるという問題があった。本発明は、このような事情に鑑みてなされたものであり、スクリーンの背面側のスペースを低減することを目的としている。
【課題を解決するための手段】
【０００４】
この課題を解決するために、本発明に係るＡＶシステムは、音波を透過させるシート状のスクリーンと、スクリーンに映像を投射する映像投射装置と、スクリーンの背面側に配置され、放射された音波をスクリーンの前面側に向けて反射または再放射する音響体（例えば後述する各実施形態における反射体５１、反射体５２または音響放射体６０）と、スクリーンの前面側に配置され、音響体に向けて音波を放射する放音装置（例えば狭い範囲にのみ指向性をもって音波を放射する装置）とを具備する。
この構成によれば、スクリーンの前面側に配置された放音装置から放射された音波がスクリーンの背面側に配置された音響体によってスクリーンの前面側に反射または再放射されるから、スクリーンの背面側にスピーカを配置しなくても、スクリーンに表示された映像から音波が発せられているかのような臨場感を鑑賞者に知覚させることができる。すなわち、本発明によれば、スクリーンの背面側に確保すべきスペースを低減することができる。なお、スクリーンの背面側にスピーカを配置する必要がないとは言っても、その背面側に音響体とともにスピーカが配置された構成を排除する趣旨ではない。また、本発明におけるスクリーンの「前面側」とは、スクリーンに表示された映像を視認する鑑賞者が位置する側であり、「背面側」とはその反対側である。
【０００５】
本発明の望ましい態様において、放音装置は、音響体に向けて指向性をもって音波（指向性音波）を放射する。指向性音波とは、音圧の高い範囲が放音装置からみて特定の方向に存在するような音波（いわゆる音響ビーム）である。この態様によれば、放音装置から放射された音波を効率的に音響体によって反射または再放射させることができる。もっとも、本発明においては、放音装置から発せられた音波が音響体に到達する構成であれば、この音波が必ずしも指向性をもって放射されたものである必要はない。
【０００６】
本発明の望ましい態様において、スクリーンの背面側には複数の音響体が配置され、放音装置は、複数の音響体の各々に向けて音波を放射する。この態様によれば、各音響体にて反射または再放射された音波が鑑賞者に到達するから、この鑑賞者に多様な音像を知覚させることができる。なお、この態様においては、複数チャネルの音波の各々を別個の音響体に向けて放射してもよいし、ひとつのチャネルの音波を複数の音響体に向けて放射してもよい。
【０００７】
本発明の他の態様において、音響体は、当該音響体にて反射された音波の進行方向が変化するようにその姿勢または形状が変更される。この態様によれば、音響体にて反射された音波の方向が当該音響体の姿勢または形状に応じて変化させられるから、音像が定位する位置を適宜に変更することができる。音響体の姿勢や形状を変更させるための態様としては、以下に示す第１および第２の態様が考えられる。
【０００８】
まず、第１の態様において、音響体は、一方の表面が凹面とされ他方の表面が凸面とされた部材であり、凹面が放音装置に向かう姿勢と凸面が放音装置に向かう姿勢との何れかとなる。この態様によれば、音響体の方向を変更するだけで、音響体にて反射する音波の収束および拡散を切り替えることができる。例えば、音響体の凸面にて反射した音波は拡散して広い範囲に到達する一方、凹面にて反射した音波は収束して狭い範囲に限定的に到達する。一方、第２の態様において、音響体は、放音装置からの音波を反射させる表面が湾曲した形状にて支持された可撓性を有する板状の部材であり、表面が放音装置に対して凸となるように湾曲した形状と当該表面が放音装置に対して凹となるように湾曲した形状との何れかとなる。この態様によっても、第１の態様と同様に、音響体にて反射する音波の収束および拡散を当該音響体の形状に応じて適宜に選定することができる。なお、音響体の姿勢や形状は利用者が直接に外力を作用させることによって変化させられてもよいが、より望ましくは駆動装置によって変化させられる。この駆動装置は、例えば、第１の態様に係る音響体を回転させることにより、凹面を放音装置に向けた姿勢と凸面を放音装置に向けた姿勢との何れかに設定する。また、駆動装置は、第２の態様に係る音響体に力を作用させることにより、当該音響体の表面が放音装置に対して凸となるように湾曲した形状とこの表面が放音装置に対して凹となるように湾曲した形状との何れかに設定する。これらの態様によれば、利用者による煩雑な作業を要することなく、鑑賞者が受聴する音響の特性を多様に変化させることができる。
【発明の効果】
【０００９】
以上に説明したように、本発明によれば、スクリーンの背面側のスペースを低減することができる。
【発明を実施するための最良の形態】
【００１０】
＜Ａ：第１実施形態＞
図１は、本発明の第１実施形態に係るＡＶシステムを鉛直方向の上方からみた平面図であり、図２は、このＡＶシステムを水平方向からみた側面図である。これらの図に示されるように、ＡＶシステムＳは、スクリーン１０と映像投射装置２０と放音装置３０と複数の音響反射装置４０（４０ａ、４０ｂ、４０ｃ）とを有するシステムであり、鑑賞者Ａが収容されるリスニングルームやホールなどの音響空間Ｒ内に配置される。スクリーン１０は、音響空間Ｒの壁面Ｗに沿って鉛直方向に設置されたシート状の部材である。このスクリーン１０は音波を透過させる性質を有する。映像投射装置２０は、このスクリーン１０に光Ｌを照射することによってその表面に映像を投射するプロジェクタであり、スクリーン１０の前面側の天井（すなわち鑑賞者Ａの頭上）に配置される。もっとも、スクリーン１０の背面側から映像を投射するリアプロジェクション方式の映像投射装置２０を採用してもよい。
【００１１】
放音装置３０は、外部から入力されたオーディオ信号に基づいて指向性音波Ｂを放射する装置であり、映像投射装置２０に固定されている。指向性音波Ｂは、放音装置３０から狭い範囲に指向性をもってビーム状に放射される音波（いわゆる音響ビーム）である。本実施形態における放音装置３０は、互いに進行方向が異なる複数の指向性音波Ｂを多数のスピーカユニットによって生成するアレイスピーカである。ここで、このアレイスピーカの原理について簡単に説明する。
【００１２】
図３は、２つのスピーカユニットＳＰ1およびＳＰ2によって構成されたアレイスピーカＡＳＰの電気的な構成を示す図である。同図に示されるように、スピーカユニットＳＰ1およびＳＰ2は、各々のコーンの中心軸（音軸）Ｙ1およびＹ2が互いに平行となるように配置される。いま、中心軸Ｙ1と中心軸Ｙ2との間隔を「ａ」、中心軸Ｙ1およびＹ2との仰角が「θ」である軸をそれぞれ放射軸Ｙ11およびＹ22とし、音波が受聴される位置が十分に遠いと仮定すると、スピーカユニットＳＰ1から放射軸Ｙ11の方向に放射された音波と、スピーカユニットＳＰ2から放射軸Ｙ22の方向に放射された音波との行路差は「ａ・ｓｉｎθ」となる。
【００１３】
入力端子Ｔinから入力されたオーディオ信号は２つの経路に分岐される。このうち一方の経路のオーディオ信号は遅延回路ＤＬ1を経由してスピーカユニットＳＰ1に供給され、他方の経路のオーディオ信号は遅延回路ＤＬ2を経由してスピーカユニットＳＰ2に供給される。オーディオ信号は、例えば人間の音声や楽器の演奏音といった種々の音を示す信号である。遅延回路ＤＬ1およびＤＬ2は、供給されたオーディオ信号をそれぞれ時間Ｄ1およびＤ2（Ｄ2≧Ｄ1）だけ遅延させて出力する。したがって、スピーカユニットＳＰ1から放射される音波とスピーカユニットＳＰ2から放射される音波との間には時間差（Ｄ２−Ｄ１）が生じる。このような両音波の時間差のほかに、上述したように放射軸Ｙ11と放射軸Ｙ22との行路差があるから、音響空間Ｒのうち各音波が到達する位置（受聴点）に応じて両音波の位相関係は相違する。例えば、ある位置においては両音波が同相となって加算され、音量が２倍となる。また、他の位置においては両音波が逆相となって相殺され、音量が０となる。したがって、各々の遅延回路ＤＬ1およびＤＬ2における遅延量を適切にコントロールすれば、アレイスピーカＡＳＰから放射される音波に所望の指向性を持たせることができる。もちろん、スピーカユニットの個数がさらに多くなってもその原理は同じである。
【００１４】
本実施形態における放音装置３０は、以上に説明した原理を利用することにより、オーディオ信号のチャネル数に対応した３チャネルの指向性音波Ｂを生成する。各チャネルの指向性音波Ｂの進行方向（指向する方向）は相違する。これらの指向性音波Ｂの方向は、ＡＶシステムＳのオペレータが入力装置（図示略）に入力したパラメータに応じて各々が独立に調整される。
【００１５】
一方、図１および図２に示されるように、３個の音響反射装置４０（４０ａ、４０ｂ、４０ｃ）は、スクリーン１０の背面側（すなわちスクリーン１０と壁面Ｗとに挟まれた空間Ｒ1）に互いに離間して配置される。より具体的には、図１に示されるように、音響反射装置４０ａはスクリーン１０の幅方向における中央部の近傍（すなわち音響空間Ｒの中央に居る鑑賞者Ａの正面）に配置され、音響反射装置４０ｂはスクリーン１０の幅方向における一方の端部の近傍（すなわち鑑賞者Ａの右前方）に配置され、音響反射装置４０ｃはスクリーン１０の幅方向における他方の端部の近傍（すなわち鑑賞者Ａの左前方）に配置される。
【００１６】
図４は、各音響反射装置４０の構成を示す斜視図である。同図に示されるように、音響反射装置４０は、反射体５１と基部４３とを有する。図１および図２に示されるように、放音装置３０は、各音響反射装置４０の反射体５１に向けて指向性音波Ｂを放射する。反射体５１は、スクリーン１０を透過してその背面側に到来した指向性音波Ｂをスクリーン１０の前面側に反射させるための部材であり、音波を反射させる性質を持った材料からなる。この反射体５１は、パラボラ形状ないし半円形状に成形されている。さらに詳述すると、図４に示されるように、反射体５１は、互いに反対方向を向く凹面５１ａと凸面５１ｂとを有する。このうち凹面５１ａは、中央の部分が周縁の部分よりも窪んだ曲面であり、凸面５１ｂは、中央の部分が周縁の部分よりも突起した曲面である。
【００１７】
図４に示されるように、反射体５１は、基部４３に支持されたシャフト４１の先端部に固定される。一方、シャフト４１の基端部は、基部４３に内蔵された駆動装置４５の出力軸に固定される。この駆動装置４５は、シャフト４１を介して反射体５１を駆動するための手段（例えばモータ）である。すなわち、駆動装置４５が作動することによってシャフト４１が矢印ｂの方向に回転し、この回転に伴なって反射体５１も矢印ｃの方向に回転する。反射体５１の回転角度は、例えば、音響反射装置４０に設けられた操作子（図示略）への操作や、各音響反射装置４０に通信ケーブルを介して接続された操作盤への操作に応じて適宜に調整される。この構成のもと、各音響反射装置４０の反射体５１は、図５に示されるように凹面５１ａが放音装置３０に向かう姿勢と、図６に示されるように凸面５１ｂが放音装置３０に向かう姿勢との何れかに調整される。
【００１８】
凹面５１ａが放音装置３０に向かうように各音響反射装置４０の反射体５１の姿勢（放音装置３０に対する角度）が調整されている場合、図５に示されるように、各反射体５１の凹面５１ａにて反射した音波Ｂrはスクリーン１０を透過して前面側に至り、音響空間Ｒの中央付近に居るひとりの鑑賞者Ａに向かって収束しながら進行する。この場合には、放音装置３０から放射される各指向性音波Ｂの強度（音量）や反射体５１の姿勢を適宜に調整することにより、明瞭な方向感を鑑賞者Ａに知覚させることができる。例えば、放音装置３０から指向性音波Ｂが放射されているときに反射体５１を時計回りに回転させることによって、反射体５１にて反射した音波Ｂrの進行方向を図５における矢印ｄの方向に変化させていけば、その音波Ｂrの発生源（すなわち音像）が恰も右方から左方に向かって移動しているかのような臨場感を鑑賞者Ａに知覚させることができる。
【００１９】
一方、凸面５１ｂが放音装置３０に向かうように各音響反射装置４０の反射体５１の姿勢が調整されている場合、図６に示されるように、各反射体５１の凸面５１ｂにて反射した音波Ｂrはスクリーン１０を透過し、広い範囲に拡散しながら進行する。したがって、この場合には、音響空間Ｒの幅方向に配列する鑑賞者Ａの各々に音声を受聴させることができる。
【００２０】
以上に説明したように、本実施形態においては、放音装置３０から放射された指向性音波Ｂがスクリーン１０の背面側に配置された反射体５１によってスクリーン１０の前面側に反射されるから、スクリーン１０の背面側にスピーカを配置しなくても、スクリーン１０に表示された映像から音波が発せられているかのような臨場感を鑑賞者Ａに知覚させることができる。また、反射体５１の姿勢が任意に変更されることによって音波Ｂrの進行の方向や態様（拡散や収束）が調整されるから、多様な音像を鑑賞者Ａに知覚させることができる。
【００２１】
＜Ｂ：第２実施形態＞
次に、本発明の第２実施形態について説明する。なお、本実施形態に係るＡＶシステムＳは、音響反射装置４０（特に反射体）を除いて第１実施形態と構成が共通する。そこで、以下では音響反射装置４０の構成を重点的に説明し、これ以外の要素については第１実施形態と共通の符号を付してその説明を省略する。
【００２２】
図７は、本実施形態における音響反射装置４０の構成を示す斜視図であり、図８は、音響反射装置４０を鉛直方向の上方からみた平面図である。これらの図に示されるように、音響反射装置４０は、音波を反射する材料からなる板状の反射体５２と、音響空間Ｒの床面から鉛直方向に起立する軸状の支持部材５７ａおよび５７ｂとを有する。反射体５２は、可撓性を有する材料からなり、一方の表面が放音装置３０と対向するように支持部材５７ａおよび５７ｂによって支持される。さらに詳述すると、反射体５２は、支持部材５７ａを中心として回転し得るように縁辺５２ａが支持部材５７ａによって支持されるとともに、これとは反対側の縁辺５２ｂが支持部材５７ｂを中心として回転し得るように支持部材５７ｂによって支持される。
【００２３】
ここで、支持部材５７ａと支持部材５７ｂとの間隔は反射体５２の幅よりも狭い。このため、反射体５２は、支持部材５７ａと支持部材５７ｂとの間において湾曲した形状のまま支持される。さらに詳述すると、反射体５２は、図７および図８に実線にて示されるように、その幅方向における中央の部分が放音装置３０に向かって縁辺５２ａおよび５２ｂよりも突起するように湾曲した形状（以下「凸形状」という）と、これらの図に破線にて示されるように、幅方向における中央の部分が放音装置３０に対して縁辺５２ａおよび５２ｂよりもへこむように湾曲した形状（以下「凹形状」という）との何れかとなる。反射体５２が凹形状とされている場合、図５と同様に、反射体５２にて反射した音波Ｂrは収束しながら鑑賞者Ａに到達する。一方、反射体５２が凸形状とされている場合、図６と同様に、反射体５２にて反射した音波Ｂrは拡散しながら鑑賞者Ａに到達する。反射体５２の形状は、図示しない駆動装置によって調整される。本実施形態における駆動装置は、反射体５２に対して図８の矢印ａ1に示す外力を作用させることによって反射体５２を凸形状とする一方、反射体５２に対して矢印ａ2に示す外力を作用させることによって反射体５２を凹形状とする。本実施形態によっても第１実施形態と同様の作用および効果が得られる。
【００２４】
なお、本実施形態においては、音響反射装置４０の駆動装置が支持部材５７ａや支持部材５７ｂの位置を変化させることによって反射体５２の方向や曲率を変化させるようにしてもよい。例えば、駆動装置が支持部材５７ａと支持部材５７ｂとの距離をオペレータからの指示に応じて変化させる構成によれば、反射体５２の曲率を調整することができるから、反射体５２にて反射した音波の進行が拡散または収束する度合いを任意に調整することができる。
【００２５】
＜Ｃ：第３実施形態＞
次に、本発明の第３実施形態について説明する。なお、本実施形態に係るＡＶシステムＳのうち第１および第２実施形態と同様の要素については共通の符号を付してその説明を適宜に省略する。
【００２６】
第１実施形態および第２実施形態においては、放音装置３０からの指向性音波Ｂを反射させる音響反射装置４０がスクリーン１０の背面側に配置された構成を例示した。これに対し、本実施形態においては、図９に示されるように、スクリーン１０と音響空間Ｒの壁面Ｗとに挟まれた空間Ｒ1に、第１および第２実施形態の音響反射装置４０に代えて音響放射体６０が配置された構成となっている。放音装置３０は、スクリーン１０の背面側に相互に離間して配置された３個の音響放射体６０の各々に対して指向性音波Ｂを放射する。各音響放射体６０は、スクリーン１０を透過した指向性音波Ｂに基づいて音波を再放射する構造体である。
【００２７】
図１０は、ひとつの音響放射体６０の構成を示す正面図である。同図における紙面手前側がスクリーン１０に対向する側である。図１０に示されるように、音響放射体６０は、長尺状の複数のパイプ６１が鉛直方向に積み上げられた構造となっている。各パイプ６１は、横断面の外形が略正方形である管状の部材であり、その長手方向の一端が開口部６１１とされるとともに他端が蓋部６１３によって閉じられている。また、各パイプ６１のうちスクリーン１０に対向する側面（すなわち鑑賞者Ａ側）には開口部６１５が形成されている。なお、このような音響放射体６０の具体的な構成は、例えば本出願人の先願である特開２００２−３０７４４号公報に開示されている。
【００２８】
以上の構成のもと、スクリーン１０を透過した放音装置３０からの指向性音波Ｂが音響放射体６０に入射すると、、その表面にて音波が反射するとともに、多数の開口部６１１や開口部６１５から種々の特性を持った音波が再放射される。この構成によっても、スクリーン１０の背面側に配置された音響放射体６０によって指向性音波Ｂがスクリーン１０の前面側に放射されるから、第１および第２実施形態と同様に、スクリーン１０の背面側にスピーカを配置しなくても、スクリーン１０に表示された映像から音波が発せられているかのような臨場感を鑑賞者Ａに知覚させることができる。なお、図９においては音響放射体６０がスクリーン１０から離間して配置された構成を例示したが、音響放射体６０がスクリーン１０の裏面に対して一体的に固定された構成も採用される。この構成によれば、スクリーン１０の背面側のスペースをさらに低減することができる。
【００２９】
＜Ｄ：変形例＞
各実施形態には種々の変形が加えられる。具体的な変形の態様を例示すれば以下の通りである。なお、以下の各態様を適宜に組み合わせてもよい。また、以下では、第１実施形態の反射体５１と第２実施形態の反射体５２とを特に区別する必要がない場合にはこれらを総称して「反射体５」と表記する。
【００３０】
（１）第１および第２実施形態においては、モータなどの駆動装置４５を利用して反射体５の姿勢や形状を変化させる構成を例示したが、この構成に代えて、またはこの構成とともに、利用者が手動にて反射体５の姿勢や形状を変化させる構成も採用される。すなわち、利用者が手で反射体５１を回転させることによってその姿勢を変化させてもよいし、利用者が手で反射体５２に外力を加えることによって反射体５を凹形状および凸形状の一方から他方に変化させてもよい。
【００３１】
（２）各実施形態においては、反射体５１、反射体５２および音響放射体６０の何れか１種類のみがスクリーン１０の背面側に配置された構成を例示したが、これらの音響体を組み合わせてスクリーン１０の背面側に配置してもよい。例えば、反射体５１と音響放射体６０とをスクリーン１０の背面側に配置すれば、何れか一方のみが配置された構成と比較して、より多様な音響を鑑賞者Ａに知覚させることができる。
【００３２】
（３）第１および第２実施形態においては、反射体５によって指向性音波Ｂを鏡面反射させる構成を例示したが、この反射体５に代えて、またはこれとともに、放音装置３０からの指向性音波Ｂを散乱させながら反射する反射体５（音響散乱体）がスクリーン１０の背面側に配置された構成も採用される。このように音波Ｂrを散乱させる特性を持った反射体５の具体的な構成は、例えば本出願人の先願である特開２０００−２４８６５９号公報に開示されている。
【００３３】
（４）第１および第２実施形態においては、反射体５の姿勢や形状を変化させることによって音波Ｂrの進行方向を制御する構成を例示したが、この構成に代えて、またはこの構成とともに、反射体５のうち指向性音波Ｂが放射される位置を放音装置３０において適宜に変化させることによって音波Ｂrの進行方向を制御する構成も採用される。
【００３４】
（５）第１および第２実施形態においては、反射体５の姿勢や形状と映像の内容とを連動させる構成も採用される。例えば、映像に含まれる被写体（例えば車両や動物など）が鑑賞者Ａからみてスクリーン１０の右方から左方に移動するような場合に、反射体５にて反射した音波Ｂrの進行方向が図５に示される矢印ｄの方向に変化していくように反射体５の姿勢を制御すれば、恰もその被写体から音波が発生しているかのような臨場感を鑑賞者Ａに知覚させることができる。このような作用は、例えば、映像に含まれる被写体が移動する方向を画像処理によって検知する手段と、その検知の結果に応じて反射体５が駆動されるように駆動装置４５を制御する手段とを設けることによって実現される。あるいは、スクリーン１０に投射される映像を示すデータのうち音像を移動させるべきタイミングに、反射体５の移動の態様（移動の方向と移動量）を規定するためのデータを予め埋め込んでおき、このデータに応じて反射体５が駆動されるように駆動装置４５を制御する構成としてもよい。
【００３５】
（６）各実施形態においては、オーディオ信号のチャネルごとに指向性音波Ｂが生成される構成を例示したが、オーディオ信号の各チャネルと指向性音波Ｂとの対応関係はこれに限られない。例えば、オーディオ信号のひとつのチャネルから複数のチャネルの指向性音波Ｂを生成し、その各々を別個の反射体５や音響放射体６０に放射する構成としてもよい。この場合には、各指向性音波Ｂの音量のバランスを適宜に調整することにより、鑑賞者Ａが知覚する音像の位置を任意に変化させることができる。また、各実施形態においては、アレイスピーカによって指向性音波Ｂを放射する構成を例示したが、指向性をもって音波を放射するための構成はこれに限られない。例えば、ひとつの指向性スピーカから指向性音波Ｂを放射する構成としてもよい。もっとも、各実施形態のようにアレイスピーカを利用した場合には、個々のスピーカユニットを小型化することによって放音装置３０の奥行きを低減することができるという利点がある。
【００３６】
（７）放音装置３０から放射された指向性音波Ｂを再放射するための音響体の構造は第２実施形態に示したものに限定されない。例えば、第２実施形態の音響放射体６０に代えて、またはこれとともに、図１１に示される音響放射体６５を採用してもよい。同図に示される音響放射体６５は、各々の長さが異なる複数のパイプ６６を有する。各パイプ６６は、横断面の外形が略正方形である管状の部材であり、その長手方向の一端（以下「閉管部」という）６６１が閉塞されるとともに他端（以下「開口部」という）６６３が開口している。これらのパイプ６６は、各々の開口部６６３が略同一面内に揃うように積み重ねられ、各開口部６６３がスクリーン１０と対向するように（すなわち各開口部６６３が鑑賞者Ａを向くように）空間Ｒ1に配置される。この構成によっても、第２実施形態と同様に、放音装置３０からスクリーン１０を透過して音響放射体６５に到達した指向性音波Ｂは、各パイプ６６の内部に入射して共鳴するとともに開口部６６３から鑑賞者Ａ側に向けて放射される。このように、本発明において放音装置３０からの音波を再放射させるための音響体は、スクリーン１０を透過して到来した音波をいったん内部に入射させてから（さらにはこの内部にて共鳴させて）外部に放射する構造体であれば足り、その具体的な構成の如何は不問である。なお、図１１においては各パイプ６６の開口部６６３を略同一面内に揃えた構成を例示したが、これに代えて、各々の閉管部６６１が略同一面内に揃うように複数のパイプ６６が積み重ねられた構成としてもよい。また、横断面が略円形である管状の部材を音響放射体（６０または６５）の各パイプ（６１または６６）として採用してもよい。
【図面の簡単な説明】
【００３７】
【図１】本発明の第１実施形態に係るＡＶシステムの構成を示す平面図である。
【図２】このＡＶシステムの構成を示す側面図である。
【図３】放音装置から指向性音波が放射される原理を説明するための図である。
【図４】音響反射装置の構成を示す斜視図である。
【図５】反射体の凹面が放音装置に向けられた様子を示す平面図である。
【図６】反射体の凸面が放音装置に向けられた様子を示す平面図である。
【図７】本発明の第２実施形態に係るＡＶシステムのうち音響反射装置の構成を示す斜視図である。
【図８】この音響反射装置を鉛直方向の上方からみた平面図である。
【図９】本発明の第３実施形態に係るＡＶシステムの構成を示す平面図である。
【図１０】このＡＶシステムにおける音響放射体の構造を示す正面図である。
【図１１】音響放射体の他の例を示す斜視図である。
【符号の説明】
【００３８】
Ｓ……ＡＶシステム、Ｒ……音響空間、Ｗ……壁面、Ａ……鑑賞者、Ｂ……指向性音波、１０……スクリーン、２０……映像投射装置、３０……放音装置、４０（４０ａ，４０ｂ，４０ｃ）……音響反射装置、４５……駆動装置、５１，５２……反射体、５１ａ……凹面、５１ｂ……凸面、６０，６５……音響放射体。
【図１】
2006106599.tif 000003
【図２】
2006106599.tif 000004
【図３】
2006106599.tif 000005
【図４】
2006106599.tif 000006
【図５】
2006106599.tif 000007
【図６】
2006106599.tif 000008
【図７】
2006106599.tif 000009
【図８】
2006106599.tif 000010
【図９】
2006106599.tif 000011
【図１０】
2006106599.tif 000012
【図１１】
2006106599.tif 000013